(57)【要約】【課題】本発明は、敷居上に長尺異物が存在しても、十分にその長尺異物を検出することができるエレベータ用ドア装置を提供することにある。【解決手段】本発明は、上部がドアレール３に案内され下部が前記ドアレールと平行な敷居２に案内されて横方向に開閉するドア４Ａ，４Ｂの戸当り側端部の高さ方向に沿って圧力検出手段１１Ａ，１１Ｂを設けると共に、前記ドア４Ａ，４Ｂの下端の戸当り側端部に位置し前記ドアの閉動作時に前記敷居２上の長尺異物１４を前記圧力検出手段１１Ａ，１１Ｂへ誘導する異物誘導手段１２Ａ，１２Ｂを設けることで、ドアの閉動作時に、敷居２上にある長尺異物１４を異物誘導手段１２Ａ，１２Ｂにより圧力検出手段１１Ａ，１１Ｂに誘導して検出することができる。【選択図】図１
2007326699.tif 000002
【特許請求の範囲】
【請求項１】
上部がドアレールに案内され下部が前記ドアレールと平行な敷居に案内されて横方向に開閉するドアと、このドアの戸当り側端部の高さ方向に沿って設けられ接触圧力を検出する圧力検出手段と、前記ドアの下端の戸当り側端部に位置し前記ドアの閉動作時に前記敷居上の長尺異物を前記圧力検出手段へ誘導する異物誘導手段とを備えたことを特徴とするエレベータ用ドア装置。
【請求項２】
上部がドアレールに案内され下部が前記ドアレールと平行な敷居に案内されて横方向に開閉するドアと、このドアの戸当り側端部の高さ方向に沿って設けられ接触圧力を検出する圧力検出手段と、前記ドアの下端の戸当り側端部に位置し前記ドアの閉動作によって敷居上の長尺異物を前記圧力検出手段へ誘導する異物誘導手段とを備えたことを特徴とするエレベータ用ドア装置。
【請求項３】
上部がドアレールに案内され下部が前記ドアレールと平行な敷居に案内されて横方向に開閉するドアと、このドアの戸当り側端部の高さ方向に沿って設けられ接触圧力を検出する圧力検出手段と、前記ドアの下端の戸当り側端部に位置し前記ドアの閉動作によって前記敷居上の長尺異物を前記圧力検出手段へ誘導する異物誘導手段とを備え、この異物誘導手段は、下端が前記敷居の溝内に位置していると共に前記圧力検出手段よりもドア閉じ方向に突出しており、かつ前記敷居の溝内の下端から前記圧力検出手段に至る上向きの傾斜部を有していることを特徴とするエレベータ用ドア装置。
【請求項４】
上部がドアレールに案内され下部が前記ドアレールと平行な敷居に案内されて横方向に開閉するドアと、このドアの戸当り側端部の高さ方向に沿って設けられ接触圧力を検出する圧力検出手段と、前記ドアの下端の戸当り側端部に位置して前記ドアと前記敷居との隙間を塞ぐ塞ぎ板とを備え、この塞ぎ板のドア閉じ方向側下端は、前記敷居の溝内に位置して前記圧力検出手段よりもドア閉じ方向に突出しており、かつ前記塞ぎ板は、前記敷居の溝内のドア閉じ方向側下端から前記圧力検出手段に至る上向きの傾斜部を有して異物誘導手段を構成していることを特徴とするエレベータ用ドア装置。
【請求項５】
対向するドアの戸当り側端部に設けられた各異物誘導手段は、前記敷居の幅方向に互いに変位して設けられていることを特徴とする請求項１，２，３又は４記載のエレベータ用ドア装置。
【請求項６】
前記異物誘導手段は、前記ドアに取付けられていることを特徴とする請求項１，２，３，４又は５記載のエレベータ用ドア装置。
【請求項７】
前記異物誘導手段は、前記ドア下端に設けられ前記敷居の溝内に臨むガイド手段に取付けられていることを特徴とする請求項１，２，３，４又は５記載のエレベータ用ドア装置。
【請求項８】
前記ドアは両開きのドアであることを特徴とする請求項１，２，３，４，５，６又は７記載のエレベータ用ドア装置。
【請求項９】
前記ドアは片開きのドアであることを特徴とする請求項１，２，３，４，５，６又は７記載のエレベータ用ドア装置。
【請求項１０】
前記異物誘導手段は、ドア閉じ時に前記ドアの戸当り側端部が当接するドア枠側にも設けられていることを特徴とする請求項１，２，３，４，５，６，７又は９記載のエレベータ用ドア装置。
【発明の詳細な説明】
【技術分野】
【０００１】
本発明はエレベータ用ドア装置に係り、特に、ロープ等の可撓性長尺物や針金やパイプ等の棒状長尺物を含む長尺異物がドアに挟み込まれたことを検出できるエレベータ用ドア装置に関する。
【背景技術】
【０００２】
従来において、長尺異物がドアに挟み込まれたことを検出できるエレベータ用ドア装置は、例えば特許文献１に示すように、既に提案されている。
【０００３】
特許文献１に示す構成は、ドアの全高に亘って異物検出装置を設けているが、ドアの下端と敷居との隙間に長尺異物が巻き込まれた場合、それを検出することができない問題がある。
【０００４】
即ち、ドアの下端と敷居との隙間は、エレベータ協会標準（ＪＥＡＳ−２０７  標０２−５）で６ｍｍ以下となるように規定されているが、ドア装置の製造や据付精度あるいは長期使用による出入口周辺構造の歪み等を考慮すると、その隙間を０ｍｍにすることは不可能であり、通常初期隙間が５ｍｍ程度となるように製造されている。
【０００５】
そのために、ドア下端の５ｍｍの隙間に長尺異物が入り込んだ場合、ドアに設けた異物検出装置ではそれを検出できない問題がある。
【０００６】
他方、特許文献２に示すように、ドアの戸当り側端部に面一となるように、ドア下端と敷居との隙間を塞ぐ遮蔽板を設け、仮に、ドア下端と敷居との隙間に対応する遮蔽板に異物が挟まった場合、ドアが完全に閉じられないので、異物検出装置の機能を有するドア閉じ確認スイッチが入らないので、乗かごの昇降を防止するものが提案されている。
【０００７】
【特許文献１】特開２００４−２６２６３６号公報
【特許文献２】特開平９−１２２５４号公報
【発明の開示】
【発明が解決しようとする課題】
【０００８】
上記特許文献２に示す異物検出装置は、敷居上面で長尺異物を挟み込んだままドアが閉じた場合、僅かな遊びの範囲でドアが傾斜して異物検出装置の機能を有するドア閉じ確認スイッチが入ってしまう問題がある。このようなドア閉じ時のドアの僅かな傾斜は、物を挟み込んだ場合のほか、製造及び据付段階で稀に発生し、さらには長期使用による出入口周辺構造の歪み等に基づいて生じることがある。
【０００９】
本発明の目的は、敷居上に長尺異物が存在しても、十分にその長尺異物を検出することができるエレベータ用ドア装置を提供することにある。
【課題を解決するための手段】
【００１０】
本発明は上記目的を達成するために、上部がドアレールに案内され下部が前記ドアレールと平行な敷居に案内されて横方向に開閉するドアの戸当り側端部の高さ方向に沿って接触圧力を検出する圧力検出手段を設けると共に、前記ドアの下端の戸当り側端部に位置し前記ドアの閉動作時に前記敷居上の長尺異物を前記圧力検出手段へ誘導する異物誘導手段を設けたのである。
【発明の効果】
【００１１】
以上説明したように本発明によれば、ドアの閉動作時に、敷居上にある長尺異物を異物誘導手段により圧力検出手段に誘導し、この圧力検出手段に誘導した長尺異物を挟み込ませることで、その圧力を検出し、その後の必要な動作を行わせるようにしたので、ドア下部隙間に巻き込まれた長尺異物の検出を不能にしたり、僅かなドアの傾きによって長尺異物の検出を不能にしたりすることを防止することができる。
【発明を実施するための最良の形態】
【００１２】
以下本発明によるエレベータ用ドア装置の第１の実施の形態を図１〜図５に示す両開きのエレベータ用ドア装置に基づいて説明する。
【００１３】
両開きのエレベータ用ドア装置は、門型の出入口枠体１と、その下方に水平に配設された敷居２と、前記出入口枠１の上方に前記敷居２と平行に配設されたドアレール３と、このドアレール３に懸垂されて左右方向に案内されたドア４Ａ，４Ｂとから構成されている。
【００１４】
前記ドア４Ａ，４Ｂは、その上端部を前記ドアレール３上を転動するローラ５を軸支したハンガー６によって夫々懸垂されており、下端部には前記敷居２の溝７内に臨むガイド手段８を備えている。このガイド手段８は、前記ドア４Ａ，４Ｂに固定された支持金具９と、この支持金具によって支持され前記溝７内を摺動するガイドシュー１０とを有している。
【００１５】
上記構成とすることで、図示しない駆動手段の動力によって、前記ドア４Ａ，４Ｂは左右に駆動され、出入口枠１を開閉する。
【００１６】
一方、前記ドア４Ａ，４Ｂの戸当り側端部には、その全高に亘って圧力検出手段１１Ａ，１１Ｂが設けられている。この圧力検出手段１１Ａ，１１Ｂは、例えばドア開閉方向に隙間を介しドアの全高に亘って対向配置された可撓性の箔状電極とこれらを通常時には間隔をもって対向保持させる周知の絶縁弾性体（いずれも図示せず）から構成されており、箔状電極からは図示しない信号線が引き出され、図示しないエレベータ制御装置に接続されている。
【００１７】
さらに、各ドア４Ａ，４Ｂの下端部の戸当り側端部には、異物誘導手段１２Ａ，１２Ｂが設けられている。これら異物誘導手段１２Ａ，１２Ｂは、ガイド手段８の支持金具９に固定された塞ぎ板である。この塞ぎ板は、各ドア４Ａ，４Ｂの下端の戸当り側端部に位置して前記ドア４Ａ，４Ｂと前記敷居２との隙間を塞ぐものである。また、図２に示すように、この塞ぎ板のドア閉じ方向側下端は、前記敷居２の溝７内に位置すると共に、前記圧力検出手段１１Ａ，１１Ｂの先端よりもドア閉じ方向に突出している。そして、この塞ぎ板は、前記敷居２の溝７内のドア閉じ方向側下端から前記圧力検出手段１１Ａ，１１Ｂの先端に至る上向きの傾斜部１３Ａ，１３Ｂを有している。このほか、図３に示すように、異物誘導手段１２Ａ，１２Ｂである塞ぎ板は、平面的に見て敷居２の溝７の幅方向に、互いに変位して設けられており、ドア４Ａ，４Ｂが全閉したとき干渉しないようにしている。
【００１８】
上記構成の両開きのエレベータ用ドア装置において、図１に示すように、敷居２上に長尺異物１４、例えば、ペット犬のチェーン等からなるリードが存在していた場合、ドア閉じ動作の過程で、一方あるいは両方のドアの異物誘導手段１２Ａ，１２Ｂが、リードをドア閉じの中央側に次第に移動させて行く。この移動の過程で、ペット犬の飼い主が気付いてリードを手繰り寄せるか手放して敷居２上からリードを撤去すれば各ドア４Ａ，４Ｂは全閉して乗かごは昇降を開始する。しかしながら、飼い主が気付かず、リードがドア閉じの中央側に至った場合、両側の異物誘導手段１２Ａ，１２Ｂが、図５に示すように、出入口進行方向から見て、その傾斜部１３Ａ，１３Ｂが交差することによって、リードは掬い上げられ、圧力検出手段１１Ａ，１１Ｂの間に誘導される。誘導されたリードは、ドア閉じ動作によって圧力検出手段１１Ａ，１１Ｂの少なくとも一方を撓ませ、それによって異物の存在が検出される。圧力検出手段１１Ａ，１１Ｂからの検出信号は制御装置に送られて、乗かごあるいは乗り場側に設けた案内手段（スピーカや表示装置）を介して警報を発すると共に、乗かごを昇降させる信号の出力を停止させる。これにより、リードをドア４Ａ，４Ｂに挟み込んだまま乗かごを昇降させるために発生する各種事故を防止することができる。
【００１９】
ところで、上記実施の形態において、異物誘導手段１２Ａ，１２を塞ぎ板としたことで、敷居２とドア４Ａ，４Ｂ間の隙間を塞ぐことができるので、防炎、防火仕様のエレベータ用ドア装置には好適である。しかし、防炎、防火仕様のエレベータ用ドア装置以外では、異物誘導手段１２Ａ，１２を板状に形成させる必要はなく、その場合には傾斜部１３Ａ，１３Ｂが形成できる部材をガイド手段８に支持させればよい。
【００２０】
さらに、前記傾斜部１３Ａ，１３Ｂの角度は任意であるが、ドアの閉じ状態や乗客の乗降を考慮して決定すればよい。また、傾斜部１３Ａ，１３Ｂは必ずしも、直線状に形成する必要はなく、ドア移動方向に沿った凹曲状に形成してもよい。
【００２１】
以上に実施の形態では、板状の異物誘導手段１２Ａ，１２Ｂを敷居２の幅方向にずらして設けたものであるが、長尺異物１４の救い上げを容易にするために、図６に示す第１の変形例のように、例えば、ドア４Ａ側の板状の異物誘導手段１２Ａをドア４Ａの圧さ方向の中央部から突出させ、ドア４Ｂ側の板状の異物誘導手段１２Ｂを、中央の異物誘導手段１２Ａを挟み込むように、２つの誘導手段１２Ｂ１，１２Ｂ２を突出させればよい。
【００２２】
さらに、以上の実施の形態は、異物誘導手段１２Ａ，１２Ｂをガイド手段８の支持金具９を利用して固定したものであるが、図７に示す第２の変形例のように、支持金具９を戸当り側に突出させ、この突出した支持金具９を異物誘導手段１２Ａ，１２Ｂとすることも可能である。その場合には、全閉時の緩衝を防止するために、各ドア４Ａ，４Ｂの支持金具９の突出させる部分を、敷居２の幅方向で互いに逆方向に変位させた後、突出させるようにすればよい。
【００２３】
ところで、以上の実施の形態は、異物誘導手段１２Ａ，１２Ｂをガイド手段８に固定したものであるが、ドア４Ａ，４Ｂの下部に直接固定してもよいのは勿論である。
【００２４】
また、以上の実施の形態は、がごドアに関するものであるが、乗り場ドアに関しても同様なことが云える。
【００２５】
以上の実施の形態はまた、ドア４の戸当り側端部の全高に亘って圧力検出手段１１を設けているが、異物誘導手段によって誘導された異物を圧力検出手段１１で検出できればよいので、ドア４の戸当り側端部の一部にのみ圧力検出手段１１を設けるようにしてもよい。
【００２６】
さらに、以上の実施の形態は、両開きのエレベータ用ドア装置を一例に説明したが、片開きのエレベータ用ドア装置にも適用できることは云うまでもない。その場合には、一方側のドアの戸当り側と、このドアと対向する出入口枠の戸当り部分に、圧力検出手段と異物誘導手段とを上記実施の形態にしたがって設けて対応することで、両開きのエレベータ用ドア装置と同じように長尺異物の検出を行うことができる。
【００２７】
このほか、異物誘導手段をガイド手段８あるいはドア４Ａ，４Ｂに一体に設けた例を説明したが、ドアの閉動作時に、ドアの移動力を利用したり、専用の駆動装置を駆動させたりして昇降あるいは回転動作して異物を掬い上げ、掬い上げた長尺異物を圧力検出手段まで誘導する異物誘導手段を設けてもよい。
【図面の簡単な説明】
【００２８】
【図１】本発明によるエレベータ用ドア装置の第１の実施の形態を示すドア閉じ中の正面図。
【図２】図１に示すドアの下部を示す拡大図。
【図３】図２の平面図。
【図４】図２のＡ−Ａ線に沿う縦断拡大図。
【図５】図１のエレベータ用ドア装置のドア閉じ真際を示す正面図。
【図６】異物誘導手段の第１の変形例を示す図３相当図。
【図７】異物誘導手段の第２の変形例を示す図３相当図。
【符号の説明】
【００２９】
１…出入口枠体、２…敷居、３…ドアレール、４Ａ，４Ｂ…ドア、５…ローラ、６…ハンガー、７…溝、８…ガイド手段、９…支持金具、１０…ガイドシュー、１１Ａ，１１Ｂ…圧力検出手段、１２Ａ，１２Ｂ…異物誘導手段、１２Ｂ１，１２Ｂ２…誘導手段、１３Ａ，１３Ｂ…傾斜部、１４…長尺異物。
【図１】
2007326699.tif 000003
【図２】
2007326699.tif 000004
【図３】
2007326699.tif 000005
【図４】
2007326699.tif 000006
【図５】
2007326699.tif 000007
【図６】
2007326699.tif 000008
【図７】
2007326699.tif 000009